(57)【要約】【課題】照明具のメンテナンスを容易に行えるようにし、作業車両の後方を広く照明できるようにする。【解決手段】作業車両の後方を照明可能とする照明具３０であって、左右の後輪７・７の上方を覆う左右のフェンダー１７・１７の間に運転座席２０が配置され、前記運転座席２０は、背もたれ部２２と座部２１とから構成され、前記照明具３０は、前記背もたれ部２２の後面に配置されるとともに、照明具３０は前記左右のフェンダー１７・１７の上端よりも高い位置に配置されるようにした。【選択図】図４
2014040220.tif 000002
【特許請求の範囲】
【請求項１】
作業車両の後方を照明可能とする照明具であって、左右の後輪の上方を覆う左右のフェンダーの間に運転座席が配置され、前記運転座席は、背もたれ部と座部とから構成され、前記照明具は、前記背もたれ部の後面に配置されるとともに、照明具は前記左右のフェンダーの上端よりも高い位置に配置されることを特徴とする作業車両の照明具。
【請求項２】
前記照明具は、上下方向の照射角度が変更可能に構成されることを特徴とする請求項１に記載の作業車両の照明具。
【請求項３】
前記照明具は、左右方向の照射角度が変更可能に構成されることを特徴とする請求項１に記載の作業車両の照明具。
【請求項４】
前記照明具の角度変更操作手段が、背もたれ部の側部に配置されることを特徴とする請求項１乃至請求項３のいずれか１項に記載の作業車両の照明具。
【発明の詳細な説明】
【技術分野】
【０００１】
本発明は、作業車両の後方を照らすための照明具に関し、特に、照明具を座席の後面に設ける技術に関する。
【背景技術】
【０００２】
従来、夜間の作業時において、作業車両の後方を照らすための作業灯を設ける技術が公知となっている。例えば、後輪の上方を覆うフェンダーの上部に作業灯を配置し、機体前方や乗降口を照明したり、後方に向きを変えて機体後方を照明したりするようにした技術が公知になっている（特許文献１参照）。また、ミッションケースの後面におけるトップリンクホルダ近傍に作業灯を配置し、機体後方を照明するようにした技術も公知となっている（特許文献２参照）。
【先行技術文献】
【特許文献】
【０００３】
【特許文献１】特開２００３−２２５９号公報
【特許文献２】特許第４６１３５４２号公報
【発明の概要】
【発明が解決しようとする課題】
【０００４】
前記特許文献１における技術の場合、作業灯の後部には転倒保護フレームが配置されているために、転倒保護フレームが邪魔になり、後方が暗くなる範囲が存在し、十分な明るさが得られなかった。また、特許文献２の技術では、作業機装着装置を構成するリフトリンク等が照明を遮ることがあり、また、後輪近傍に位置するため、泥はね等で土が作業灯に付着して光量が低下することがあり、作業灯表面を清掃する必要があった。
【０００５】
本発明は以上の如き状況に鑑みてなされたものであり、照明具のメンテナンスを容易に行えるようにし、作業車両の後方を広く照明できる照明具を提供する。
【課題を解決するための手段】
【０００６】
本発明の解決しようとする課題は以上の如くであり、次にこの課題を解決するための手段を説明する。
【０００７】
即ち、請求項１においては、作業車両の後方を照明可能とする照明具であって、左右の後輪の上方を覆う左右のフェンダーの間に運転座席が配置され、前記運転座席は、背もたれ部と座部とから構成され、前記照明具は、前記背もたれ部の後面に配置されるとともに、照明具は前記左右のフェンダーの上端よりも高い位置に配置されるものである。
【０００８】
請求項２においては、前記照明具は、上下方向の照射角度が変更可能に構成されるものである。
【０００９】
請求項３においては、前記照明具は、左右方向の照射角度が変更可能に構成されるものである。
請求項４においては、前記照明具の角度変更操作手段が、背もたれ部の側部に配置されるものである。
【発明の効果】
【００１０】
本発明の効果として、以下に示すような効果を奏する。
照明具の後方に照明を遮るものがなく夜間での機体後方を広く明るく照らすことが可能となり、機体後部に装着した作業機の状態や、作業後の圃場の状態等を容易に視認することが可能となる。また、照明具の照射方向の調整やメンテナンス等も容易にできるようになる。
【図面の簡単な説明】
【００１１】
【図１】照明具を備えるトラクタの側面図。
【図２】同じく後面図。
【図３】運転座席の側面図。
【図４】同じく後面図。
【図５】別実施例の照明具を備える運転座席の後面図。
【図６】同じく平面図。
【発明を実施するための形態】
【００１２】
まず、図１及び図２により、作業車両の一実施形態としてのトラクタ１の全体構造について説明する。なお、Ｆ方向を前方として、前後方向を規定して説明する。
【００１３】
トラクタ１は、エンジンフレーム２の上部の前側にはエンジン３が搭載されて、ボンネット９で覆われている。前記エンジンフレーム２の前下部には、フロントアクスルケースが左右揺動自在に配設され、該フロントアクスルケースに軸支された前車軸の両端には、前輪６・６が軸支されている。一方、前記エンジンフレーム２の後方には、クラッチハウジングを介してミッションケース５が配設され、該ミッションケース５の後部両側には、リアクスルケース１３・１３が固設され、該リアクスルケース１３・１３に軸支された後車軸の両端部には、後輪７・７が軸支されている。
【００１４】
前記ミッションケース５の後面からはＰＴＯ軸８とトップリンクブラケット（図示せず）が後方に突出され、ミッションケース５の上部には油圧ケースが配置されて、リフトアーム１０・１０が後方に突出されている。また、ミッションケース５の下部両側、または、左右のリアクスルケース１３・１３から後方にロアリンク１１・１１が突出され、前記リフトアーム１０・１０の後端とロアリンク１１・１１の前後中途部がリフトリンク１２・１２により連結されている。こうして、左右のロアリンク１１・１１と前記トップリンクブラケットに取り付けたトップリンクにより作業機装着装置を構成している。
【００１５】
エンジン３からの動力は、前記ミッションケース５内の変速装置や駆動伝達機構等を介して、前輪６・６や後輪７・７やＰＴＯ軸８等に伝達される。
【００１６】
前記エンジン３の後方には操縦部４が配設される。操縦部４は、ボンネット９後部にダッシュボード１５を設けて、該ダッシュボード１５上にステアリングハンドル１６を配置している。該ステアリングハンドル１６の後方のミッションケース５上には運転座席２０が配置されている。該運転座席２０の左右両側には後輪７・７の上方を覆うフェンダー１７・１７が配置され、該フェンダー１７・１７の後部上に後面視逆Ｕ字状の転倒保護フレーム１８の下部が取りつけられている。左右のフェンダー１７・１７の後部間は連結板１９により連結されている。
【００１７】
つぎに、図３、図４より、運転座席２０、および、運転座席２０に備えられる照明具３０について説明する。
前記運転座席２０は、座部２１と、背もたれ部２２と、該座部２１と背もたれ部２２とを連結する連結体２３とからなる。前記背もたれ部２２の後面２２ａの左右中央上部に照明具３０が配置される。照明具３０は作業灯として説明するが、発光色を赤色とし配線を変更することでブレーキランプとすることもできる。該照明具３０は、前記左右のフェンダー１７・１７の上端よりも高い位置に配置される。つまり、作業車両の後部に装着される作業機や作業後の仕上がり具合を視認できるように、運転座席２０の背もたれ部２２の後面２２ａの左右中央に照明具３０を配置して、機体の後方を広く照らすようにし、照明具３０の後方に装備品等で照明が遮られないように、フェンダー１７・１７よりも高い位置に配置される。
【００１８】
このように照明具３０は、機体の左右中央で、フェンダー１７よりも高い位置に配置されることで、照明具３０からの照明がフェンダー１７および左右のフェンダー１７・１７を連結する連結板１９や、転倒保護フレーム１８に遮られることなく、後方を明るく照らすことができる。そして、フェンダー１７よりも高い位置で左右中央に配置されることで、後輪７・７から離れた位置に配置されることになり、泥はねの影響を受けることなく、表面が汚れることがないようにしている。照明具３０をブレーキランプとした場合、高い位置で点灯するため後方からの認識性が向上する。なお、照明具３０は転倒保護フレーム１８の下部に取り付けることも可能であるが、転倒保護フレーム１８近傍のフェンダー１７・１７上には、方向指示器２４・２４が配置されるので、作業灯として照明具３０を点灯させると光量が多いため、フェンダー１７上に設けられる方向指示器２４・２４の点滅（車幅）が見難くなってしまう。また、転倒保護フレーム１８の上部中央に設けると、光量の大きな照明具３０を取り付ける必要があり、高価で外観を悪くする。
【００１９】
前記照明具３０は、ＬＥＤ等の小型で消費電力の小さな発光体が使用され、板状に構成される基板に多数のＬＥＤを配置して、広い範囲を照明できるようにしている。但し、光源はＬＥＤに限定するものではなく、蛍光灯や電球等を用いることも可能である。また、照明具３０は後面視四角形状に構成しているが、その形状は限定するものではなく、楕円形等であってもよい。そして、照明具３０が板状に構成されることで、背もたれ部２２の後内部に収納可能として、できるだけ背もたれ部２２の後面より出っ張らないようにしている。つまり、背もたれ部２２の左右中央の後面上部には、前方に凹む凹部２２ｂが形成され、該凹部２２ｂに照明具３０が収納されるように構成している。なお、照明具３０を点灯または消灯させるためのオン／オフスイッチは運転座席２０近傍またはダッシュボード１５上等に配置されるが、その設置位置は限定するものではない。照明具３０は凹部２２ｂ内に収納され、オン／オフスイッチやバッテリと接続するための配線は、運転座席２０内部を通すことになり、配線が引っかかったり濡れたりすることがないようにして、断線や短絡等の故障が生じ難く、運転座席２０自体は露出しているので、メンテナンスを容易にできるようにしている。
【００２０】
そして、照明具３０の左右両側面から外水平方向に横回動軸３１・３１が突出されて背もたれ部２２に回動可能に支持されている。該横回動軸３１の一端は背もたれ部２２の側面（本実施形態では左側面）より突出されて、この突出部にダイヤルやレバー等で構成した操作体３２が取り付けられている。このように構成することにより、照明具３０を上下に回動することが可能となり、照明具３０からの照射方向を上下角度変更可能となり、作業機や作業に合わせて照明方向を変更できるようにしている。ただし、照明具３０が任意の角度で保持できるように、横回動軸３１にバネを外嵌したり、操作体３２に保持ガイドを設けたりすることもできる。
【００２１】
また、照明具３０は、左右幅広く構成する替わりに、図５、図６に示すように、複数に分割（本実施形態では左右の照明具３０Ｌ・３０Ｒに分割）して左右方向（または上下方向）に並べて配置することもできる。更に、左右の照明具３０Ｌ・３０Ｒはそれぞれ上下の回動角度、および、左右の回動角度を変更可能に構成することもできる。
つまり、照明具３０を複数に分割することで、所定の範囲を照明して無駄な電力消費を抑えることができる。そして、各照明具３０を上下左右角度変更可能とすることで、照明が必要な個所を集中して照らしたり、離れた別々の個所を照らしたりすることができる。また、左右に照明具３０Ｌ・３０Ｒを離れて配置し、発光色を黄色（橙色）とすることで、方向指示器とすることもできる。
具体的な構成を説明する。照明具３０Ｌ・３０Ｒは後方が開放された枠体３３・３３内に収納され、照明具３０Ｌ・３０Ｒの上面および下面の左右中央より上下外方向に縦回動軸３４・３４が突出され、該縦回動軸３４・３４が枠体３３に対して左右回動可能に取り付ける。そして、枠体３３の左右側面から横回動軸３１・３１が突出され、前記同様に、横回動軸３１・３１を背もたれ部２２に上下回動可能に支持し、横回動軸３１・３１の一端に操作体３２・３２をそれぞれ取り付けるのである。なお、枠体３３・３３は凹部２２ｂ内に収納される。また、縦回動軸３４・３４、横回動軸３１・３１には皿バネ等を外嵌して任意角度に保持できるようにしている。また、縦回動軸３４・３４も操作体によって角調節できるように構成することもできる。
【００２２】
こうして、左右の照明具３０Ｌ・３０Ｒは、操作体３２・３２を操作することにより、横回動軸３１・３１を中心に左右別々に上下角度調節が可能となる。また、左右方向の角度調節は、照明具３０Ｌ・３０Ｒを直接手で左端または右端を押し込むことで縦回動軸３４・３４を中心に左または右に回動させて左右角度を調節することができる。よって、作業時に作業機の左右両側の作業地と非作業地の境界部分を照らしたい場合や、畔塗機等のように左右偏心して取り付けられる作業機を照らす場合等では、照明具３０Ｌ・３０Ｒを上下左右に回動させて所望の場所を照らすことができるようになる。また、左右の照明具３０Ｌ・３０Ｒを方向指示器とした場合、高い位置に配置されるため、容易に認識できるようになる。
【００２３】
以上のように、作業車両の後方を照明可能とする照明具３０であって、左右の後輪７・７の上方を覆う左右のフェンダー１７・１７の間に運転座席２０が配置され、前記運転座席２０は、背もたれ部２２と座部２１とから構成され、前記照明具３０は、前記背もたれ部２２の後面に配置されるとともに、照明具３０は前記左右のフェンダー１７・１７の上端よりも高い位置に配置されるので、照明具の後方に照明を遮るものがなく夜間での機体後方を広く明るく照らすことが可能となり、機体後部に装着した作業機の状態や、作業後の圃場の状態等を容易に視認することが可能となる。また、照明具の照射方向の調整は作業者が後ろを向いた状態で容易に調整でき、運転座席２０は機体に対して露出した状態におかれているため、カバーを外したり、機体下方に潜ったりする必要もなくメンテナンス等も容易にできるようになる。
【００２４】
また、前記照明具３０は、上下方向の照射角度が変更可能に構成されるので、作業機や作業状態に合わせて照射方向を上下に変更でき、所望の位置を容易に照明することができる。
【００２５】
また、前記照明具３０は、左右方向の照射角度が変更可能に構成されるので、作業機や作業状態に合わせて照射方向を左右に変更でき、所望の位置を容易に照明することができる。
また、前記照明具３０の角度変更操作手段となる操作体３２が、背もたれ部２２の側部に配置されるので、作業者は運転座席２０に座ったまま後方に振り向いて、照射方向の調節が容易に行える。そして、照明具３０と角度変更操作手段とを連結する部材は簡単な構成とすることができる。
【符号の説明】
【００２６】
７    後輪
１７  フェンダー
２０  運転座席
２１  座部
２２  背もたれ部
３０  照明具
【図１】
2014040220.tif 000003
【図２】
2014040220.tif 000004
【図３】
2014040220.tif 000005
【図４】
2014040220.tif 000006
【図５】
2014040220.tif 000007
【図６】
2014040220.tif 000008